(57)【特許請求の範囲】
【請求項１】
所定の局との間で無線通信を行い、音楽又は音声の再生機能が内蔵された通信端末の着信音出力方法において、
予め用意された着信音用データを出力する第１のモードを設定したとき、上記局からの着信時に、予め用意された着信音用データの中の所定のデータを出力させ、
区間が設定されたデータを出力する第２のモードを設定したとき、上記局からの着信時に、記憶手段に記憶された音楽又は音声のデータの内の予め設定された区間のデータによる着信音を出力させる処理を行い、
上記第２のモードの設定中に、上記記憶手段に該当する音楽又は音声のデータの記憶がないとき、又は、上記記憶手段が取り外されているとき、又は、記憶されたデータに着信音として鳴らす区間の設定がない状態で、所定の局からの着信があったとき、上記第１のモードで着信音を鳴らすようにした
通信端末の着信音出力方法。
【請求項２】
請求項１記載の通信端末の着信音出力方法において、
上記音楽又は音声のデータは、外部から端末内の再生機能部に取り込んだデータである
通信端末の着信音出力方法。
【請求項３】
請求項２記載の通信端末の着信音出力方法において、
外部から再生機能部への音楽又は音声のデータの取り込みは、上記所定の局を経由した無線通信で行うようにした
通信端末の着信音出力方法。
【請求項４】
請求項１記載の通信端末の着信音出力方法において、
上記着信音として鳴らす区間の設定は、上記再生機能部で音楽又は音声を再生中に、所定の操作を行うことで設定する
通信端末の着信音出力方法。
【請求項５】
所定の局との間で無線通信を行う無線通信手段と、
音楽又は音声のデータの記憶し、その記憶したデータの再生を行うデータ再生手段と、
上記無線通信手段で受信した信号から着信を検出する着信検出手段と、
上記着信検出手段が着信を検出したとき、着信音を出力する着信音出力手段と、
上記データ再生手段に記憶されたデータの一部の区間を着信音として設定する設定手段と、
上記着信検出手段が着信を検出したとき、上記設定手段で設定された着信音を出力するよう上記着信音出力手段を制御する制御手段とを備え、
上記制御手段は、上記データ再生手段に記憶されたデータの一部を、着信音のデータとして上記着信音データ記憶手段に記憶させるとき、記憶データに所定の変換処理を施す
通信端末装置。
【請求項６】
請求項５記載の通信端末装置において、
上記データ再生手段に記憶された音楽又は音声のデータは、外部から通信端末装置に取り込んだデータである
通信端末装置。
【請求項７】
請求項６記載の通信端末装置において、
上記データ再生手段への音楽又は音声のデータの取り込みは、上記無線通信手段が受信したデータを取り込ませる
通信端末装置。
【請求項８】
請求項５記載の通信端末装置において、
上記データ再生手段が備えるデータ記憶部は、着脱自在なメモリである
通信端末装置。
【請求項９】
請求項８記載の通信端末装置において、
予め用意された着信音が記憶された着信音データ記憶手段をさらに備え、
上記制御手段は、上記メモリが装着されていないことを判断した場合、上記着信音データ記憶手段に記憶されたデータによる着信音を出力させるよう上記着信音出力手段を制御する
通信端末装置。
【請求項１０】
請求項５記載の通信端末装置において、
予め用意された着信音が記憶された着信音データ記憶手段をさらに備え、
上記制御手段は、上記設定手段が設定した着信音を上記着信音データ記憶手段に記憶させ、上記着信検出手段が着信を検出したとき、上記着信音データ記憶手段に記憶させた着信音を出力させるよう上記着信音出力手段を制御する
通信端末装置。
【請求項１１】
請求項５記載の通信端末装置において、
ユーザ操作に応じた操作情報を出力する操作手段をさらに備え、
上記設定手段は、上記再生手段によって上記データが再生されているときに、上記操作手段から出力された第１の操作情報と、次いで出力された第２の操作情報とを受信し、当該第１の操作情報を受信した時点における再生されているデータの位置を始点とし、次いで第２の操作情報を受信した時点における再生されているデータの位置を終点とするデータの区間を着信音として設定する
通信端末装置。
【請求項１２】
請求項４記載の通信端末の着信音出力方法において、
上記着信音として鳴らす区間の設定は、ユーザ操作によって指定された第１の位置と第２の位置との間を上記着信音として鳴らす区間として設定する
通信端末の着信音出力方法。
【請求項１３】
所定の局との間で無線通信を行う無線通信手段と、
音楽又は音声のデータの記憶し、その記憶したデータの再生を行うデータ再生手段と、
上記無線通信手段で受信した信号から着信を検出する着信検出手段と、
上記着信検出手段が着信を検出したとき、着信音を出力する着信音出力手段と、
上記データ再生手段に記憶されたデータの一部の区間を着信音として設定する設定手段と、
上記着信検出手段が着信を検出したとき、上記設定手段で設定された着信音を出力するよう上記着信音出力手段を制御する制御手段とを備え、
上記制御手段は、予め用意された着信音用データを出力する第１のモードが設定された状態で、上記着信検出手段が着信を検出した際に、予め用意された着信音用データの中の所定のデータを上記着信音出力手段に供給して出力させ、
上記設定手段により設定された着信音のデータを出力する第２のモードが設定された状態で、上記着信検出手段が着信を検出した際に、上記設定手段により設定されたデータを上記着信音出力手段に供給して出力させると共に、上記第２のモードの設定中に、上記再生機能手段に該当する音楽又は音声のデータの記憶がないとき、又は、上記記憶手段が取り外されているとき、又は、記憶されたデータに着信音として鳴らす区間の設定がない状態で、所定の局からの着信があったとき、上記第１のモードで着信音を鳴らすようにした
通信端末装置。
【請求項１４】
所定の局との間で無線通信を行い、音楽又は音声のデータを記憶手段が記憶して、その記憶手段が記憶した音楽又は音声の再生機能が内蔵された通信端末の着信音出力方法において、
上記記憶手段に記憶された音楽又は音声のデータの内の予め設定された区間のデータを、着信用のデータとして所定の変換処理を施して上記記憶手段に記憶させ、
上記局からの着信時に、上記所定の変換処理が施された着信用のデータを上記記憶手段から出力させて着信音を出力させる
通信端末の着信音出力方法。
【発明の詳細な説明】
【０００１】
【発明の属する技術分野】
本発明は、例えば携帯電話端末と称される無線電話装置に適用して好適な通信端末の着信音出力方法及び通信端末装置に関する。
【０００２】
【従来の技術】
従来、無線電話装置として使用される通信端末装置に、別の機能を組み合わせて複合端末とすることが各種行われている。即ち、一般に無線電話装置は携帯用として小型に構成されて、使用者が常時携帯するものであるため、無線電話としての機能の他に、時計機能やスケジュール管理機能などを備えて、端末装置が備える表示装置に表示させるようにしたものがある。
【０００３】
ここで、より高機能化された複合端末として、オーディオ再生装置を携帯端末装置に内蔵させることが提案されている。即ち、近年半導体メモリの大容量化及びオーディオデータの圧縮技術の向上に伴って、例えば数十分〜数時間程度のオーディオデータを、メモリカードが内蔵したメモリに記憶させることが可能になっている。このメモリカードを記録媒体（記憶媒体）として使用した小型の再生装置に、ヘッドホンを取付けて、そのヘッドホンでオーディオを聴取するようにしたものが既に実用化されている。
【０００４】
このようなメモリを記録媒体として使用したオーディオ再生装置を、携帯電話端末に内蔵させることで、携帯電話端末を通話用として使用しないときには、その端末にヘッドホンを取付けて、オーディオを聴取することができ、携帯電話端末の用途が広がる。
【０００５】
また、携帯電話端末にオーディオ再生装置を取付けることで、例えば無線電話回線を介してオーディオデータをセンタから端末にダウンロードさせて、その端末に装着されたメモリカードにオーディオデータを記憶させることで、オーディオデータをユーザに簡単に配信することができ、非常に便利である。
【０００６】
ところで、上述したような携帯電話端末は、電話としての着信時に、呼び出し音を鳴らすようにしてある。この呼び出し音としては、単純に「ピッピッ」と鳴る電子音の他に、数秒〜１０秒程度の短時間のメロディを電子音として鳴らせる場合がある。このようなメロディを鳴らす場合には、端末の製造時に内部のメモリに予め記憶されたメロディの中から、所望のメロディを選択する場合と、ユーザがキー操作で所望のメロディを入力させる場合と、着信用のメロディが用意されたサーバに電話回線でアクセスし、そのサーバから所望のメロディのデータをダウンロードして端末に記憶させる場合とがある。
【０００７】
このようなメロディの電子音を呼び出し音として鳴らすことで、各自が使用する端末の区別がつくことになり、例えば誰が所持した端末に着信があったか等が容易に判るようになる。なお、本明細書では着信時に端末が鳴らす呼び出し音のことを着信音と称する。
【０００８】
【発明が解決しようとする課題】
ところが、端末の内部のメモリに予め用意されたメロディを鳴らす場合には、メロディの種類が予め用意されたものに限られる問題がある。サーバから所望のメロディのデータをダウンロードする場合にも、同様にサーバ側に用意されたメロディしか設定できない問題がある。また、メロディをキー操作で入力させる場合には、メロディの音程に則した複雑なキー操作が必要になる問題がある。
【０００９】
また、従来のメロディの着信音は、端末の内部でメロディのデータに基づいて所定の音程の電子音を生成させてメロディが出力されるようにしたものであり、二重音などの複音を生成させることができるようにしたものもあるが、基本的に電子的に合成された音であり、音色の変化に乏しい問題がある。
【００１０】
本発明の目的は、この種の通信端末装置において、簡単に任意の音楽などによる音質の良い着信音が鳴らせるようにすることにある。
【００１１】
【課題を解決するための手段】
本発明は、所定の局との間で無線通信を行い、音楽又は音声の再生機能が内蔵された通信端末において、第１のモードを設定したとき、着信時に、予め用意された着信音用データの中の選択されたデータによる着信音を出力させ、第２のモードを設定したとき、着信時に、再生機能部に記憶された音楽又は音声のデータの内の予め設定された区間のデータによる着信音を出力させるようにしたものである。
【００１２】
このようにしたことで、音楽又は音声の再生機能を利用して着信音を鳴らすことが可能になる。
【００１３】
【発明の実施の形態】
以下、添付図面を参照して、本発明の一実施の形態について説明する。
【００１４】
本例においては、例えば各種方式のデジタルデータを基地局との間で無線伝送することで、通話やデータ通信などを行う無線電話装置（携帯電話端末）に適用したものである。そして、本例の携帯電話端末には、無線電話としての機能部の他に、オーディオ再生機能部を内蔵させてある。
【００１５】
図１は、本例の携帯電話端末１００の外観の一例を示した図である。本例の携帯電話端末１００は、第１筐体１１０と第２筐体１２０とを接合部１０１で回動自在に接合させたいわゆる折り畳み型の携帯電話端末として構成してある。図１は、両筐体１１０，１２０を開いた状態で示してあり、その開いたときに内側になる面の第１筐体１１０側には、携帯電話として使用される複数のキーで構成されるキー入力部１１１が配置してある。キー入力部１１１として用意されたキーとしては、０〜９の数字や＊，＃の記号のキーや、発信操作などを行うキーや、各種機能を設定するキーが用意されている。その機能キーの内の１つのキー１１１ａは、電話機能を停止させて、オーディオ再生機能だけを作動させるモードを設定及び解除するためのキーとしてある。
【００１６】
また、一部のキー１１１ｂ，１１１ｃについては、第２筐体１２０側に配置してある。さらに、第１筐体１１０の側面には、回転操作と押下操作とが可能なジョグダイヤル部１１２が配置してあり、このジョグダイヤル部１１２の操作によっても各種操作が可能としてある。ジョグダイヤル部１１２の操作によって、オーディオ再生機能を操作することも可能としてある。
【００１７】
また、第１筐体１１０の下端部には通話用のマイクロホン１１３が配置してあり、第２筐体１２０の上端部には通話用のスピーカ１２２が配置してあり、このマイクロホン１１３とスピーカ１２２とを通話者の口と耳元に近づけることで通話ができるようにしてある。第２筐体１２０の中央部には、表示部１２３を構成する表示パネルが配置してあり、数字，文字，図形などにより、動作状態や登録された電話番号、受信した文字メールなどの電話に関連した各種表示が可能としてある。また、後述するオーディオ再生機能に関連した表示も可能としてある。
【００１８】
第１筐体１１０には、メモリカード装着部１１４が設けてあり、例えば筐体の側面側からメモリカード１０を挿入させて装着できるようにしてある。本例の場合に使用可能なメモリカード１０としては、例えばスティク状（細長の薄板状）に構成された樹脂パッケージ内に不揮発性の半導体メモリを収納させたものを使用する。
【００１９】
第２筐体１２０には、上端にホイップアンテナ１２１が取付けてあり、側面部に各種端子が配置してある。具体的には、ヘッドホンジャック１２４と、オーディオ入力ジャック１２５と、データ通信用ポート１２６とが配置してある。ヘッドホンジャック１２４については、ヘッドホン装置に供給するオーディオ信号（音声信号）の出力部と、ヘッドホン装置が内蔵するマイクロホンが拾った音声信号の入力部と、ヘッドホン装置に取付けられたリモートコントロール装置と通信を行うための入出力部とが、一体化されている。データ通信用ポート１２６については、例えばパーソナルコンピュータ装置などと接続するためのポートであり、例えばＵＳＢ（Universal Serial Bus）と称される規格のインターフェース用ポート、或いはＩＥＥＥ（The Institute of Electrical and Electronics Engineers ）１３９４規格のインターフェース用ポートとする。
【００２０】
ヘッドホンジャック１２４に装着されるプラグ１２１を備えたヘッドホン装置２０としては、その信号線の途中にリモートコントロール部２２が取付けてある。このリモートコントロール部２２には、表示部２３と、キー２４とボリュームと、マイクロホン２６とが取付けてある。そして、信号線の先端部には、左右のヘッドホンユニット２７Ｌ，２７Ｒが取付けてある。
【００２１】
図２は、本例の携帯電話端末１００を閉じた状態の表面側（即ち第２筐体１２０側の面）を示した図である。この面には、オーディオ再生のための操作を行う複数のキー１１１ｄと、再生音量を調整するためのボリュームキー１１１ｅが配置してある。さらに、再生されたオーディオを出力させるスピーカ１４３が配置してある。このスピーカ１４３は、電話の着信時の呼び出し音などを鳴らすためにも使用される。
【００２２】
図３は、本例の携帯電話端末１００を閉じた状態の裏面側（即ち第１筐体１１０側の面）を示した図である。この面には、バッテリ（二次電池）の装着部１５１が設けてあると共に、装着部１４１に装着されたメモリカード１０を取り外すためのリジェクトスイッチ１５２が配置してある。
【００２３】
次に、本例の携帯電話端末１００の内部構成を、図４を参照して説明する。無線電話用の回路としては、アンテナ１２１がアンテナ共用器１３１を介して受信回路１３２と送信回路１３４に接続してある。受信回路１３２では、指示されたチャンネルの受信処理を行い、受信回路１３２で受信された信号を、音声処理部１３３に供給して、無線伝送された音声信号や各種データを復調して抽出し、音声信号についてはスピーカ１２２から出力させる。また、マイクロホン１１３が出力する音声信号を音声処理部１３３に供給して、無線伝送用に変調するなどの処理を行い、その処理された信号を送信回路１３４で所定のチャンネルの送信信号とする送信処理を行い、その送信信号をアンテナ１２１から無線送信させる。これらの音声処理部１３３と受信回路１３２と送信回路１３４での処理は、中央制御ユニット（ＣＰＵ）１３５の制御により実行される。ＣＰＵ１３５は、この携帯電話端末内での各種信号処理を制御するマイクロプロセッサであり、オーディオ再生機能についても、このＣＰＵ１３５が制御する。
【００２４】
また、受信回路１３２には、着信検出回路１３２ａが接続してあり、受信回路１３２で基地局から受信した制御信号などから、この端末１００への着信を着信検出回路１３２ａで検出するようにしてある。着信検出回路１３２ａで着信を検出したときには、着信検出情報をＣＰＵ１３５に供給し、ＣＰＵ１３５に必要な処理を実行する。ここでの着信に必要な処理としては、例えば着信音を鳴らす処理がある。着信音を鳴らす処理の詳細については後述する。
【００２５】
ＣＰＵ１３５には、この端末の動作に必要な情報が記憶されるＲＯＭ１３６と、電話帳情報などのユーザが登録した情報が記憶されるＲＡＭ１３７とが接続してあり、ＣＰＵ１３５が随時記憶情報を読出すようにしてある。この場合、ＲＯＭ１３６は、所定の処理を行ったとき一部の記憶データの書換えが可能なフラッシュメモリとしてあり、電話機能に関する登録情報を書き込ますようにしてある。このＲＯＭ１３６に記憶される電話機能に関する登録情報としては、この電話端末に固有の識別番号であるＩＤデータや、無線電話会社への契約の有無の情報や、契約を行った場合には、電話会社から付与された電話番号の情報などがある。また、オーディオ再生機能に関する契約が必要な場合には、その契約に関する情報をＲＯＭ１３６に書き込ませるようにしても良い。
【００２６】
また、ＲＯＭ１３６の一部のエリアが、着信音のデータの記憶部として設定してあり、この端末への着信があったとき、ＣＰＵ１３５の制御で、このエリアに記憶された着信音のデータの中の、予め選択されたデータを読み出して、スピーカ１２２（又は図示しない着信音用の専用のスピーカ）から着信音を電子音として鳴らすようにしてある。また本例においては、この電子音を着信音として鳴らす処理の他に、後述するオーディオ再生機能を利用して着信音を鳴らす処理が実行できるようにしてある。電子音を着信音として鳴らす場合（第１のモード）と、オーディオ再生機能を利用して着信音を鳴らす場合（第２のモード）とは、キー入力部１１１又はジョグダイヤル部１１２の操作によりモード設定を行うことで、いずれかのモードがＣＰＵ１３５に登録されて選択できるようにしてある。
【００２７】
キー入力部１１１やジョグダイヤル部１１２を操作した情報は、ＣＰＵ１３５に供給され、ＣＰＵ１３５がその操作情報に基づいた動作を実行させるようにしてある。表示部１２３での表示についても、ＣＰＵ１３５が制御する。ここまで説明した構成は、基本的には電話機能に関連した構成である。
【００２８】
次に、オーディオ再生機能に関した構成について説明すると、本例の場合には、オーディオデータを所定の方式（例えばＡＴＲＡＣＫ３方式）で圧縮されたデータを、メモリカード１０に記憶させるようにしてある。このオーディオデータが記憶されたメモリカード１０がメモリカード装着部１１４に装着されたとき、メモリカード１０の記憶データが、ＣＰＵ１３５の制御によりデコーダ１３８に供給され、デコーダ１３８で圧縮されたデータの逆圧縮処理を行って元のデータに戻し、戻されたデータをデジタル・アナログ変換器１３９に供給して、アナログオーディオ信号とし、その変換されたオーディオ信号を出力端子１２４ａに供給する。この出力端子１２４ａは、図１に示すヘッドホンジャック１２４の内部に配された端子である。
【００２９】
出力端子１２４ａに得られる信号には、デジタル・アナログ変換器１３９の出力と、音声処理部１３３からの通話用音声の出力とが、加算器１４０で加算されて供給されるようにしてあり、電話端末として通話を行っている際には、ヘッドホン装置２０で通話用音声を聞き取ることもできるようにしてある。そして、出力端子１２４ａに接続されたヘッドホン装置にそのオーディオ信号を供給して出力させる。なお、デジタル・アナログ変換器１３９の出力に対して、増幅などのアナログ信号処理を行う場合もある。
【００３０】
また、デジタル・アナログ変換器１３９が出力するオーディオ信号を、増幅器１４２を介して端末の表面に取付けられたスピーカ１４３に供給して出力させることも可能としてある。デジタル・アナログ変換器１３９の出力系統の選択は、ＣＰＵ１３５により制御される。また、後述するように、オーディオ再生機能を利用して着信音を鳴らす場合にも、メモリカード１０から着信音用として予め登録された区間のオーディオデータを読み出して、デジタル・アナログ変換器１３９から出力されるオーディオ信号を、端末の表面に取付けられたスピーカ１４３に供給して、このスピーカ１４３から着信音を鳴らす。
【００３１】
本例のオーディオ再生機能部は、入力したオーディオ信号（又は音声信号）を、装着されたメモリカード１０に記録（記憶）させる機能も備える。この記録機能のために、デジタルオーディオデータの入力端子１２５を備えて、その入力端子１２５に得られるオーディオデータを、デコーダ１３８に供給する。本例のデコーダ１３８は、この記録用に入力データをエンコードするエンコーダとしての機能も可能としてあり、ＣＰＵ１３５の制御でエンコードされたデータを、メモリカード装着部１１４に装着されたメモリカード１０に記憶させるようにしてある。なお、デコーダ１３８でのデコード処理やエンコード処理は、ここでは音楽などのオーディオデータを処理するのに適した方式の処理としてある。
【００３２】
図１に示すヘッドホンジャック１２４は、図４に示す出力端子１２４ａの他に、ヘッドホンに内蔵されたマイクロホンからの音声信号の入力端子１２４ｂと、リモートコントロール用の入出力端子１２４ｃとを備える。入力端子１２４ｂに得られる音声信号については、アナログ／デジタル変換器１４１を介してデコーダ１３８に供給し、オーディオデータの場合と同様にエンコードして、メモリカード１０に記憶させることもできるようにしてある。また、入力端子１２４ｂに得られるマイクロホンからの音声信号については、音声処理部１３３に供給して、マイクロホン１１３から入力した音声と同様に、通話用音声として処理できるようにしてある。リモートコントロール用の入出力端子１２４ｃは、ＣＰＵ１３５が、ヘッドホン装置２０内のリモートコントロール部２２と通信を行うための端子であり、リモートコントロール部２２内の表示部２３での表示をＣＰＵ１３５が制御すると共に、キー２４の操作情報などをＣＰＵ１３５が判断する。なお、リモートコントロール用の信号をオーディオ信号（音声信号）に重畳して、リモートコントロール用の入出力端子１２４ｃを出力端子１２４ａと共通の端子とすることも可能である。
【００３３】
また、本例の携帯電話端末１００は、パーソナルコンピュータ装置などの情報機器と通信を行うためのデータ通信用ポート１２６を備えて、そのポート１２６にインターフェース部１４４が接続してあり、インターフェース部１４４を介してポート１２６と接続された相手側の機器と、ＣＰＵ１３５及びデコーダ１３８が通信をできるようにしてある。このポート１２６を使用した外部の機器との通信では、例えば外部の機器からポート１２６に供給されるオーディオデータを、デコーダ１３８に供給して、記録（記憶）用に圧縮して、メモリカード装着部１１４に装着されたメモリカード１０にそのデータを記憶させたり、或いはメモリカード１０に記憶されたオーディオデータを、デコーダ１３８で逆圧縮し、そのデータをポート１２６に接続された機器に供給すること等が可能である。また、無線電話回線を経由してこの端末が受信したデータを、ＣＰＵ１３５の制御でポート１２６に供給して、外部の機器に供給したり、逆に外部の機器からポート１２６に得られるデータを、ＣＰＵ１３５の制御で無線電話回線側に送出させることもできる。
【００３４】
また、無線電話回線を経由してこの端末の受信回路１３２が受信したオーディオデータなどの各種データを、ＣＰＵ１３５の制御で、メモリカード１１４に記憶させることも可能としてある。この場合、受信したデータが既に記憶用にエンコードされたデータである場合、デコーダ１３８でのエンコード処理を省略してメモリに書き込ませても良い。
【００３５】
このようにして、本例の携帯電話端末には、オーディオデータや音声データを記録（記憶）し再生する機能部が内蔵されている。なお、本例の場合には、メモリカード１０が装着部１１４から着脱自在であるので、例えば他のオーディオ機器でオーディオデータを記憶させたメモリカード１０を、本例の携帯電話端末１００に装着して、再生させることも可能である。
【００３６】
次に、本例の携帯電話端末にて、着信時に着信音を鳴らす処理を、図５，図６のフローチャートを参照して説明する。本例の場合には、既に説明したように、電子音を着信音として鳴らすいわゆる通常の着信音処理（第１のモード）と、オーディオ再生機能を利用して着信音を鳴らす処理（第２のモード）とが実行できるようにしてある。ここで、第２のモードでオーディオ再生機能を利用して着信音を鳴らす場合には、着信音として鳴らす区間を登録する設定処理を予め行う必要がある。
【００３７】
図５は、この登録処理の一例を示したものである。まず、メモリカード１０に記憶されたオーディオ（音楽又は音声）を再生させて、その再生音をスピーカ又はヘッドホンから出力させ、着信音登録モードを何らかのキー操作で設定させる。着信音登録モードを設定させてから、音楽の再生を行うようにしても良い。
【００３８】
そしてＣＰＵ１３５は、その音楽の再生中であるか否か判断し（ステップＳ１１）、再生中でないときには登録処理を中断させる。再生中であると判断したときには、ジョグダイヤル部１１２を押下させるクリック操作があったか否か判断する（ステップＳ１２）。クリック操作がない場合には、再生が続く限り、クリック操作の有無を判断する。
【００３９】
ステップＳ１２でクリック操作があると判断したとき、そのクリック操作が１回目の操作であるか否か判断し（ステップＳ１３）、１回目の操作であるとき、そのときのメモリカード１０から読み出して再生しているオーディオデータのメモリ上の記憶アドレスを、ＣＰＵ１３５内に始点アドレスとして一時記憶させる（ステップＳ１４）。この一時記憶をした後は、ステップＳ１１の判断に戻る。
【００４０】
そして、ステップＳ１２でクリック操作があると判断し、ステップＳ１３でそのクリック操作が１回目でないと判断したとき、そのクリック操作が２回目であるか否か判断する（ステップＳ１５）。ここで２回目であると判断したとき、そのときのメモリカード１０から読み出して再生しているオーディオデータのメモリ上の記憶アドレスを、ＣＰＵ１３５内に終点アドレスとして一時記憶させる（ステップＳ１６）。そして、ＣＰＵ１３５内に一時記憶された始点アドレスと終点アドレスを、着信メロディ用インデックスとして、ＣＰＵ１３５に接続されたメモリに記憶させる（ステップＳ１７）。なお、この記憶時には、このとき再生した曲（音楽など）やメモリカード１０を識別するのに必要がデータについても記憶させておく。
【００４１】
また、ステップＳ１５で２回目のクリックでないと判断したときには、ＣＰＵ１３５の内部でのクリック回数の設定をクリアしておく（ステップＳ１８）。
【００４２】
このように処理されることで、オーディオ再生機能部を利用してメモリカード１０から読み出した音楽を再生させて、その再生音楽中の任意の区間を着信音として登録できるようになる。即ち、最初にジョグダイヤル部１１２を押下させるクリック操作したときに再生中の箇所が、着信音の先頭位置として登録され、次にクリック操作したときに再生中の箇所が、着信音の末尾位置として登録される。従って、ユーザ操作で音楽中に任意の区間を着信音として登録できるようになる。なお、登録される音楽（音声）の長さ（時間）については、予め制限を設けるようにしても良い。
【００４３】
次に、このように登録された着信音を着信時に出力させる処理を、図６のフローチャートを参照して説明する。着信音を着信時に出力させる処理は、ＣＰＵ１３５の制御で実行されるもので、ＣＰＵ１３５は、着信検出回路１３２ａで着信を検出したか否か判断し（ステップＳ２１）、着信を検出するまで待機する。ステップＳ２１で着信を検出したとき、ＣＰＵ１３５は着信メロディ用インデックスの登録があるか否か判断する（ステップＳ２２）。
【００４４】
ここで、着信メロディ用インデックスの登録がないと判断した場合には、通常の着信音を鳴らす処理に移る。即ち、オフフック操作があるか否か判断し（ステップＳ２３）、オフフック操作が検出されないとき、着信音用のメモリの記憶エリアから、電子音の着信音のデータを読み出し（ステップＳ２４）、そのデータによる電子音の着信音を鳴動させる（ステップＳ２５）。そして、着信が継続しているか判断し（ステップＳ２６）、着信状態でなくなったと判断したとき、着信音の鳴動を停止させて（ステップＳ２７）、ステップＳ２１の判断に戻って着信待機状態となる。
【００４５】
そして、ステップＳ２６で着信が継続していると判断したとき、ステップＳ２３のオフフック操作の判断に戻る。ステップＳ２３でオフフック操作があると判断されたときには、着信音の鳴動を停止させて（ステップＳ２８）、通話状態に移り（ステップＳ２９）、通話が終了するいわゆる終話となったか否か判断し（ステップＳ３０）、終話を検出したときステップＳ２１の判断に戻って着信待機状態となる。
【００４６】
そして、ステップＳ２２で着信メロディ用インデックスの登録があると判断したとき、オーディオ再生機能を利用して着信音を鳴らす処理に移る。このときには、オフフック操作があるか否か判断し（ステップＳ３１）、オフフック操作が検出されないとき、着信メロディ用インデックスが登録された区間のオーディオデータをメモリカード１０から読み出し（ステップＳ３２）、そのオーディオデータを再生処理して、スピーカ１４３から出力させて、着信音として鳴動させる（ステップＳ３３）。この着信音として鳴動させる場合には、着信メロディ用インデックスが登録された区間のオーディオデータを繰り返し再生させる。その際には、１回の再生が終了した後に、次の再生を行うまでの間、１秒程度の時間をあけるようにしても良い。そして、着信が継続しているか判断し（ステップＳ３４）、着信状態でなくなったと判断したとき、着信音の鳴動を停止させて（ステップＳ３５）、ステップＳ２１の判断に戻って着信待機状態となる。
【００４７】
そして、ステップＳ３４で着信が継続していると判断したとき、ステップＳ３１のオフフック操作の判断に戻る。ステップＳ３１でオフフック操作があると判断されたときには、着信音の鳴動を停止させて（ステップＳ２８）、通話状態に移り（ステップＳ２９）、通話が終了するいわゆる終話となったか否か判断し（ステップＳ３０）、終話を検出したときステップＳ２１の判断に戻って着信待機状態となる。
【００４８】
このようにして、オーディオ再生機能を利用してメモリカード１０に記憶されたオーディオデータを利用して、着信音を鳴らすようにしたことで、ユーザが所望の曲を、オーディオ再生を行う場合と同様の高音質で鳴らすことができるようになる。
【００４９】
なお、ここまで説明した処理では、オーディオ再生機能を利用した着信音を鳴らす処理として、メモリカード１０から該当する区間のオーディオデータを、着信時に読み出して、その読み出したデータから着信音を生成させるようにしたが、図５のフローチャートのステップＳ１７で着信メロディ用インデックスの登録があった時点で、該当する区間のオーディオデータをメモリカード１０から読み出して、ＣＰＵ１３５に接続されたメモリに記憶させるようにしても良い。
【００５０】
即ち、例えば図７のフローチャートに示すように、インデックスが設定された区間のオーディオデータをＣＰＵ１３５に接続されたＲＡＭ１３７に転送させ（ステップＳ４１）、その転送作業が終了したか否か判断し（ステップＳ４２）、終了したとき、着信メロディの設定を完了させる（ステップＳ４３）。そして、オーディオ再生機能を利用して着信音を鳴らすモードが設定されている場合には、ＲＡＭ１３７に転送されたオーディオデータを読み出して、その読み出したオーディオデータの再生処理を行って、着信音を鳴らすようにすれば良い。このようにすることで、例えばメモリカード１０に後から別の曲を記憶させた場合や、メモリカードそのものが端末から外された場合であっても、登録時の曲を着信音として鳴らせるようになる。
【００５１】
なお、図７のフローチャートに示すように、オーディオデータをメモリカード１０から読み出して別のメモリに転送させて記憶させる場合には、オーディオデータに何らかの方式変換処理を施すようにしても良い。即ち、例えばメモリカード１０には、ＡＴＲＡＣＫ３方式で記憶されたオーディオデータを、別の圧縮方式で符号化されたオーディオデータとして、ＲＡＭなどに記憶させるようにしても良い。
【００５２】
また、図５，図６のフローチャートの処理では、着信メロディ用のインデックスの登録があるとき、自動的にオーディオ再生機能を利用して着信音を鳴らすモード（第２のモード）が設定されて、着信メロディ用のインデックスの登録がないとき、通常の電子音により着信音を鳴らす処理（第１のモード）が設定されるようにしたが、着信メロディ用のインデックスの登録の有無とは別に、この第１，第２のモードがユーザ操作で設定できるようにしても良い。即ち、着信メロディ用のインデックスを登録した場合でも、第１のモードを設定して、通常の電子音による着信音を鳴らせるようにしても良い。この場合、第２のモードを設定した状態で、着信メロディ用のインデックスの登録がない場合や、インデックスの登録があっても、その曲のデータがメモリカード１０から消去された場合や、メモリカード１０が端末１００から外された場合には、自動的に第１のモードに変化するようにすれば良い。
【００５３】
なお、ここまでの説明では、装着されたメモリカードには、オーディオデータを記録（記憶）させて、その記録されたオーディオデータを再生するようにしたが、携帯電話端末が内蔵したマイクロホンが収録した音声データや、電話として使用中の通話音声のデータを、メモリカード内のメモリに記憶させて、必要なときに再生する音声記録再生装置としても良い。この場合、記憶させるデータの処理としては、音楽などのオーディオデータを記憶させる場合のエンコード処理（圧縮処理）とデコード処理（逆圧縮処理）と同じでも良いが、会話用音声に適したより圧縮率の高いエンコード処理やデコード処理を行うようにしても良い。
【００５４】
また、上述した実施の形態では、使用される記録媒体（記憶媒体）としてメモリカードを使用したが、他の記録媒体を使用しても良い。また、メモリを記憶媒体として使用する場合に、そのメモリが端末装置内に予め組み込まれたものを使用して、交換できないようにしても良い。
【００５５】
また、上述した実施の形態では、通信端末として無線電話回線を使用する携帯電話端末としたが、基地局からの呼び出し信号を受信したとき、同様の着信音（呼び出し音）を鳴らす処理を行う他の無線通信システム用の無線通信端末にも適用できるものである。
【００５６】
【発明の効果】
本発明によると、音楽又は音声の再生機能を利用して着信音を鳴らすことが可能になる。従って、例えば音楽再生用に用意されたデータの一部を利用して、音質の良い音楽を着信音として鳴らすことが可能になる。また、音楽再生機能部が備えるメモリに好みの曲を入力させておくことで、簡単に所望の曲の一部を着信音として使用できるようになる。
【００５７】
この場合、再生機能部に記憶された音楽又は音声のデータは、外部から通信端末装置に取り込んだデータであることで、例えば外部から好みの曲を入力させることで、ユーザが所望の曲を簡単に着信音として設定できるようになる。
【００５８】
また、外部からの音楽又は音声のデータの取り込みは、通信端末が備える無線通信手段が受信したデータとしたことで、無線電話回線などの通信手段を使用して、簡単に所望の音楽などを着信音として設定できるようになる。
【００５９】
また、着信音として鳴らす区間の設定は、音楽又は音声を再生中に、所定の操作を行うことで設定するようにしたことで、ユーザが音楽などを聞きながら簡単に設定できるようになる。
【００６０】
また、再生機能部からの音楽などを着信音として鳴らすようにモードが設定された状態で、着信音として鳴らすデータが再生機能部に記憶されてないとき、又は鳴らす区間の設定がないとき、予め用意された着信音用データの中の所定のデータによる着信音を鳴らすようにしたことで、着信音が適切なものに自動的に選択されるようになる。
【００６１】
また、再生機能部が備えるデータ記憶部は、着脱自在なメモリであることで、例えば他の記録装置にて音楽などが記憶されたメモリを、この端末装置に装着させることで、簡単にユーザが所望の音楽を着信音として設定できるようになる。
【００６２】
また、このメモリが着脱自在なメモリである場合に、そのメモリの装着がないとき、予め用意された着信音用データの中の所定のデータによる着信音を鳴らすようにしたことで、着信音が適切なものに自動的に選択されるようになる。
【００６３】
また、再生機能部に記憶されたデータの一部の区間を着信音として設定したとき、その設定された区間の記憶データを、着信音記憶用のメモリに記憶させて、着信時のそのメモリから読み出したデータで着信音を鳴らすようにしたことで、着信時には簡単な制御で着信音を鳴らせるようになる。
【００６４】
また、このように着信音記憶用のメモリに記憶させる際に、再生機能部に記憶されたデータに所定の変換処理を施してメモリに記憶させることで、再生機能部に記憶された音楽又は音声のデータの記憶形式と、着信音記憶用のメモリのデータの記憶形式が異なる場合でも対処できるようになる。
【図面の簡単な説明】
【図１】本発明の一実施の形態による端末装置の例（開いた状態）を示す斜視図である。
【図２】図１に示した例の端末装置を閉じた状態の表面の例を示す斜視図である。
【図３】図１に示した例の端末装置を閉じた状態の裏面の例を示す斜視図である。
【図４】本発明の一実施の形態による端末装置の内部構成の例を示すブロック図である。
【図５】本発明の一実施の形態による着信音の登録処理例を示すフローチャートである。
【図６】本発明の一実施の形態による着信音を鳴らす処理例を示すフローチャートである。
【図７】本発明の他の実施の形態による着信音のデータの転送処理例を示すフローチャートである。
【符号の説明】
１０…メモリカード、２０…ヘッドホン装置、２２…リモートコントロール部、２３…表示部、２４…キー、２５…ボリューム、２６…マイクロホン、１００…携帯電話端末、１１０…第１筐体、１１１…キー入力部、１１３…マイクロホン、１１４…メモリカード装着部、１２０…第２筐体、１２１…アンテナ、１２２…スピーカ、１２３…表示部、１２４…ヘッドホンジャック、１２５…オーディオ入力ジャック、１２６…データ通信用ポート、１３２…受信回路、１３２ａ…着信検出回路、１３３…音声処理部、１３４…送信回路、１３５…中央制御ユニット（ＣＰＵ）、１３８…デコーダ（エンコーダ）、１３９…デジタル・アナログ変換器、１４１…アナログ／デジタル変換器、１６１…電源回路、１６２，１６３，１６５…電源供給スイッチ、１６４…モード切換スイッチ
【図１】
0004206608.tif 000002
【図２】
0004206608.tif 000003
【図３】
0004206608.tif 000004
【図４】
0004206608.tif 000005
【図５】
0004206608.tif 000006
【図６】
0004206608.tif 000007
【図７】
0004206608.tif 000008